(57)【要約】【課題】秀れた集魚効果を発揮して釣果向上を望めるなど、より一層商品価値の高い疑似餌を提供する。【解決手段】錘部１を一側面１ａから他側面１ｂに貫通する貫通孔４を形成し、前記疑似餌本体部３の先端にはこの疑似餌本体部３と前記錘部１とを連結する紐糸状連結体５の基端を連結し、この紐糸状連結体５の先端は、前記錘部１の一側面１ａから他側面１ｂに向けて前記貫通孔４に挿通させてその先端を前記錘部１に固定連結し、前記錘部１の一側面１ａにして前記貫通孔４の一方の孔縁部４ａから連設状態に、この錘部１の長さ方向基端に向けて延設される切り欠き凹溝部６を凹設し、前記錘部１の貫通孔４を境とする前記紐糸状連結体５の基端側にして前記疑似餌本体部３と連結する側が、前記錘部１の切り欠き凹溝部６内に入り込むことで、この錘部１に対する紐糸状連結体５の振れ動がこの切り欠き凹溝部６によって制止規制されるように構成する。【選択図】図１
0003135965.tif 000002
【実用新案登録請求の範囲】
【請求項１】
長さ方向先端に釣り糸を連結する錘部に、釣り針を有する疑似餌本体部を連結して成る疑似餌であって、前記錘部を一側面から他側面に貫通する貫通孔を形成し、前記疑似餌本体部の先端にはこの疑似餌本体部と前記錘部とを連結する紐や糸などの紐糸状連結体の基端を連結し、この紐糸状連結体の先端は、前記錘部の一側面から他側面に向けて前記貫通孔に挿通させてその先端を前記錘部に固定連結し、この紐糸状連結体によって前記錘部と前記疑似餌本体部とを連結した構成とし、前記錘部の一側面にして前記貫通孔の一方の孔縁部から連設状態に、この錘部の長さ方向基端に向けて延設される切り欠き凹溝部を凹設し、前記錘部の貫通孔を境とする前記紐糸状連結体の基端側にして前記疑似餌本体部と連結する側が、前記錘部の切り欠き凹溝部内に入り込むことで、この錘部に対する紐糸状連結体の振れ動がこの切り欠き凹溝部によって制止規制されるように構成したことを特徴とする疑似餌。
【請求項２】
前記錘部の貫通孔に挿通した前記紐糸状連結体の先端にサルカンやリングなどの環状金具を設け、前記錘部には、前記環状金具を直接若しくは中間金具を介して固定連結し得る固定部を設け、この固定部に前記環状金具を固定連結することで前記紐糸状連結体の先端を錘部に固定連結した構成としたことを特徴とする請求項１記載の疑似餌。
【請求項３】
前記錘部は、前記固定部を構成する固定部形成部材をインサート成形によってこの錘部に埋設することで、この錘部に前記固定部を埋設固定状態に設けた構成としたことを特徴とする請求項１，２のいずれか１項に記載の疑似餌。
【請求項４】
前記錘部の前記切り欠き凹溝部が連設される前記貫通孔の前記一方の孔縁部とは反対側の他方の孔縁部の形成位置よりも、この錘部の長さ方向先端寄り位置に前記固定部を設けた構成としたことを特徴とする請求項２，３のいずれか１項に記載の疑似餌。
【請求項５】
前記錘部は、前記切り欠き凹溝部を設けた一側面から他側面に向けてこの錘部の長さ方向と直交する方向に前記貫通孔を貫通形成した構成，若しくは錘部の一側面から他側面に向けてこの錘部の長さ方向先端に向かう斜め方向に前記貫通孔を貫通形成した構成としたことを特徴とする請求項１〜４のいずれか１項に記載の疑似餌。
【請求項６】
前記錘部の一側面にして前記貫通孔の前記一方の孔縁部からこの錘部の長さ方向基端まで至る直線状に延設状態に、前記切り欠き凹溝部を凹設した構成としたことを特徴とする請求項１〜５のいずれか１項に記載の疑似餌。
【考案の詳細な説明】
【技術分野】
【０００１】
本考案は、錘部と、釣り針を有する疑似餌本体部とを連設して成る疑似餌に関するものである。
【背景技術】
【０００２】
従来から、カツオやマグロなどの大型魚を狙う延縄漁に使用される疑似餌として、例えば特許文献１のようにイカの形態を模した疑似餌がある。
【０００３】
この特許文献１のタイプは、イカの胴体，頭部及び足部を模した部分を、可撓性を有する樹脂などで一体に成形すると共に、胴体箇所に錘を備え、足部箇所に釣り針を有する構成としている。
【０００４】
また例えば、イカの胴体を模した部分に、頭部及び足部を模した部分を紐糸などで連結するタイプもあり、このタイプは一般に次のような構成としている（後述する本考案と同一構成部分には同一符号を付して説明する。）。
【０００５】
即ち、図４に図示したように、イカの胴体を模した錘部１と、イカの頭部及び足部を模した疑似餌本体部３とから成り、この疑似餌本体部３の先端に連結した紐糸状連結体５の先端を前記錘部１に固定連結することで錘部１と疑似餌本体部３とを連結すると共に、前記疑似餌本体部３に釣り針２を有する構成としている。
【０００６】
ところで、図４（ｂ）に図示したものは、錘部１の先端の釣り糸を連結する箇所に、前記疑似餌本体部３の先端の紐糸状連結体５の先端を固定連結する構成としており、また、図４（ａ）に図示したものは、錘部１の先端ではなく錘部１の中央部に貫通形成された貫通孔４に前記紐糸状連結体５を挿通させ、その先端を前記錘部１に固定連結した構成としている。いずれにしても両者は、釣り糸に連結して海水中で引き動かす際、錘部１の先端若しくは錘部１の中央部（貫通孔４の形成位置）を基点とし、紐糸状連結体５や疑似餌本体部３が前記錘部１に対して不自然に大きく振れ動いてしまう為、所期通りの集魚効果が得られない場合がある。
【０００７】
【特許文献１】特開２００６−８７４１０号公報
【考案の開示】
【考案が解決しようとする課題】
【０００８】
本考案は、従来から提案されている疑似餌について更なる研究開発を進め、釣りの際に錘部１に対して紐糸状連結体５や疑似餌本体部３が振れ動を制止規制されつつ微妙な振れ動を行わせることができ、これまでにない良好な集魚効果を発揮でき、ひいては釣果向上を良好に図り得ることとなるなど、画期的な疑似餌を提供することを課題とする。
【課題を解決するための手段】
【０００９】
添付図面を参照して本考案の要旨を説明する。
【００１０】
長さ方向先端に釣り糸を連結する錘部１に、釣り針２を有する疑似餌本体部３を連結して成る疑似餌であって、前記錘部１を一側面１ａから他側面１ｂに貫通する貫通孔４を形成し、前記疑似餌本体部３の先端にはこの疑似餌本体部３と前記錘部１とを連結する紐や糸などの紐糸状連結体５の基端を連結し、この紐糸状連結体５の先端は、前記錘部１の一側面１ａから他側面１ｂに向けて前記貫通孔４に挿通させてその先端を前記錘部１に固定連結し、この紐糸状連結体５によって前記錘部１と前記疑似餌本体部３とを連結した構成とし、前記錘部１の一側面１ａにして前記貫通孔４の一方の孔縁部４ａから連設状態に、この錘部１の長さ方向基端に向けて延設される切り欠き凹溝部６を凹設し、前記錘部１の貫通孔４を境とする前記紐糸状連結体５の基端側にして前記疑似餌本体部３と連結する側が、前記錘部１の切り欠き凹溝部６内に入り込むことで、この錘部１に対する紐糸状連結体５の振れ動がこの切り欠き凹溝部６によって制止規制されるように構成したことを特徴とする疑似餌に係るものである。
【００１１】
また、前記錘部１の貫通孔４に挿通した前記紐糸状連結体５の先端にサルカンやリングなどの環状金具８を設け、前記錘部１には、前記環状金具８を直接若しくは中間金具９を介して固定連結し得る固定部７を設け、この固定部７に前記環状金具８を固定連結することで前記紐糸状連結体５の先端を錘部１に固定連結した構成としたことを特徴とする請求項１記載の疑似餌に係るものである。
【００１２】
また、前記錘部１は、前記固定部７を構成する固定部形成部材７’をインサート成形によってこの錘部１に埋設することで、この錘部１に前記固定部７を埋設固定状態に設けた構成としたことを特徴とする請求項１，２のいずれか１項に記載の疑似餌に係るものである。
【００１３】
また、前記錘部１の前記切り欠き凹溝部６が連設される前記貫通孔４の前記一方の孔縁部４ａとは反対側の他方の孔縁部４ｂの形成位置よりも、この錘部１の長さ方向先端寄り位置に前記固定部７を設けた構成としたことを特徴とする請求項２，３のいずれか１項に記載の疑似餌に係るものである。
【００１４】
また、前記錘部１は、前記切り欠き凹溝部６を設けた一側面１ａから他側面１ｂに向けてこの錘部１の長さ方向と直交する方向に前記貫通孔４を貫通形成した構成，若しくは錘部１の一側面１ａから他側面１ｂに向けてこの錘部１の長さ方向先端に向かう斜め方向に前記貫通孔４を貫通形成した構成としたことを特徴とする請求項１〜４のいずれか１項に記載の疑似餌に係るものである。
【００１５】
また、前記錘部１の一側面１ａにして前記貫通孔４の前記一方の孔縁部４ａからこの錘部１の長さ方向基端まで至る直線状に延設状態に、前記切り欠き凹溝部６を凹設した構成としたことを特徴とする請求項１〜５のいずれか１項に記載の疑似餌に係るものである。
【考案の効果】
【００１６】
本考案は上述のように構成したから、錘部の先端に連結した釣り糸を引動して本考案品を海中などで泳がせる際、錘部の一側面に形成した切り欠き凹溝部内に、疑似餌本体部の基端側にして疑似餌本体部と連結した側が良好に入り込み、よって錘部に対する疑似餌本体部の振れ動がこの切り欠き凹溝部によって良好に制止規制される。
【００１７】
これにより疑似餌本体部が不自然に大きく振れ動することなく、錘部に対して微妙な（小振りな）振れ動を見せ、これが高い集魚効果を発揮し、ひいては釣果向上を良好に図れるなど、画期的で商品価値の高い疑似餌となる。
【００１８】
また、請求項２，３記載の考案においては、錘部の貫通孔に挿通した紐糸状連結体の先端と前記錘部とを強固に固定連結でき、特に後述の実施例のように紐糸状連結体の先端の環状金具と錘部の固定部とを中間金具を介して着脱自在に固定連結するように構成すれば、錘部と紐糸状連結体とを強固に固定連結できるだけでなく、その付け外しも簡単に行うことができ、つまり例えば潮目，水深，天候など種々の状況に応じて、錘部と疑似餌本体部とを簡単に付け替えて組み合わせ変更調整できるように設計することも容易に可能で、より釣果アップが望めることとなる。
【００１９】
特に請求項３記載の考案においては、錘部に強固に埋設固定状態に設けられる固定部に紐糸状連結体の先端の環状金具を直接若しくは中間金具を介して固定連結するので、より一層強固に且つ確実に紐糸状連結体の先端と錘部とを固定連結できる。
【００２０】
また、請求項４，５記載の考案においては、紐糸状連結体の基端側が、錘部の貫通孔の一方の孔縁部からこの錘部の基端側に向けて錘部の一側面に沿う状態となり易いように、即ちこの紐糸状連結体の基端側が前記切り欠き凹溝部内に入り込み易い構成と構成したから、それだけこの切り欠き凹溝部による振れ動の制止規制の作用効果が一層良好に発揮される秀れた構成となる。
【００２１】
また、請求項６記載の考案においては、紐糸状連結体に対して振り動を制止規制する作用効果をより一層良好に発揮できる形状に切り欠き凹溝部を設定したから、上述した本考案の秀れた作用効果をより一層確実且つ良好に発揮し得る秀れた疑似餌となる。
【考案を実施するための最良の形態】
【００２２】
好適と考える本考案の実施形態（考案をどのように実施するか）を、図面に基づいて本考案の作用を示して簡単に説明する。
【００２３】
錘部１に、釣り針２を有する疑似餌本体部３を固定連結する。
【００２４】
具体的には、錘部１を一側面１ａから他側面１ｂに貫通する貫通孔４を形成し、疑似餌本体部３の先端にはこの疑似餌本体部３と前記錘部１とを連結する紐や糸などの紐糸状連結体５の基端を連結する。
【００２５】
そして、この紐糸状連結体５の先端は、前記錘部１の一側面１ａから他側面１ｂに向けて前記貫通孔４に挿通させてその先端を前記錘部１に固定連結する。
【００２６】
即ち、この紐糸状連結体５によって前記錘部１と前記疑似餌本体部３とを連結した構成としている。
【００２７】
また、前記錘部１の一側面１ａにして前記貫通孔４の一方の孔縁部４ａから連設状態に、図１〜図３に図示したような錘部１の長さ方向基端に向けて延設される切り欠き凹溝部６を凹設している。
【００２８】
従って、本考案品を釣り糸に連結して海水中で引き動かすなどして使用する際、水の抵抗により錘部１に対して疑似餌本体部３が振れ動くが、この際に前記錘部１の貫通孔４を境とする前記紐糸状連結体５の基端側にして前記疑似餌本体部３と連結する側が、前記錘部１の前記切り欠き凹溝部６内に入り込むことで、この錘部１に対する紐糸状連結体５の振れ動がこの切り欠き凹溝部６によって制止規制されることとなる。
【００２９】
詳述すると、紐糸状連結体５は、先端を前記錘部１の一側面１ａから他側面１ｂに向けて挿通させてその先端を前記錘部１に固定しており、よって図２，図３に図示したように、この紐糸状連結体５の前記基端側にして前記疑似餌本体部３と連結する側は、前記錘部１の貫通孔４の一方の孔縁部４ａからこの錘部１の一側面１ａ側に突出することとなる。
【００３０】
従って、この錘部１の一側面１ａ側にして且つ貫通孔４の一方の孔縁部４ａから連設状態に凹設した切り欠き凹溝部６内に、前記紐糸状連結体５の基端側が良好に入り込むこととなり、そしてこの紐糸状連結体５の基端側がこの切り欠き凹溝部６内に当接することで、紐糸状連結体５の振れ動を制止規制する作用が良好に発揮されることとなる。
【００３１】
これにより、錘部１にどのような動きをさせた際にも、また錘部１の動きを止めた際にも、前記紐糸状連結体５が前記切り欠き凹溝部６内に良好に入り込み、不自然に大きく振れ動いたりせず、この紐糸状連結体５の基端に設けた疑似餌本体部３が微妙な動きをし、これにより秀れた集魚効果を発揮する画期的な疑似餌となる。
【００３２】
また、例えば後述の実施例のように、前記錘部１の貫通孔４に挿通した前記紐糸状連結体５の先端にサルカンやリングなどの環状金具８を設け、前記錘部１には、前記環状金具８を直接若しくは中間金具９を介して固定連結し得る固定部７を設け、この固定部７に前記環状金具８を固定連結することで前記紐糸状連結体５の先端を錘部１に固定連結した構成とした場合には、紐糸状連結体５の先端を錘部１にしっかりと確実且つ強固に固定連結できることとなる。
【００３３】
即ち、例えば図４（ａ）に図示した従来例のように、錘部１の貫通孔４に紐糸状連結体５の先端を挿通させた上でその先端を結んで結び目を形成し、この結び目により挿通孔４に対して紐糸状連結体５の先端を抜け止め連結する構成とした場合、錘部１から疑似餌本体部３を付け替えるべく錘部１から紐糸状連結体５の先端を取り外したい際には、しっかりと結んだ紐糸状連結体５の先端を切り離す必要がある。
【００３４】
また、錘部１の貫通孔４に紐糸状連結体５の先端を挿通させた上で、紐糸状連結体５の先端にリングをくくり固定して、このリングにより錘部１の挿通孔４に対してこの先端を抜け止めする方法もあるが、しかし紐糸状連結体５を引っ張ったりした際など何かの拍子にリングが変形して無理に挿通孔４を挿通して抜け外れる場合もある。
【００３５】
この点、本考案は、紐糸状連結体５の先端の環状金具８を錘部１の固定部７に直接若しくは中間金具９を介して強固に連結でき、抜け外れの心配が殆ど無い上に、後述の実施例のように、環状金具８と固定部７とを中間金具９で着脱自在に連結した構成とすれば、錘部１と疑似餌本体部３との付け外しを簡単に行えるように設計することも容易に可能である。
【００３６】
よって、錘部１の貫通孔４に挿通させた紐糸状連結体５の先端を錘部１にしっかりと強固に固定連結でき、また着脱を容易にして錘部１と疑似餌本体部３との付け外しを簡単に行えるように設計することも容易に可能で、更にこのように錘部１の貫通孔４に紐糸状連結体５を挿通させることで紐糸状連結体５の基端を切り欠き凹溝部６内に良好に入り込ませて錘部１に対する疑似餌本体部３の振れ動を制止規制する作用を良好に発揮させることができ、この制止規制による疑似餌本体部３の微妙な（小振りな）振れ動がこれまでにない秀れた集魚効果を発揮することとなるなど、画期的な疑似餌となる。
【実施例】
【００３７】
本考案の具体的な実施例について図面に基づいて説明する。
【００３８】
本実施例は、イカを模した疑似餌に本考案を適用したもので、図１〜図３に図示したように、長さ方向先端に釣り糸を連結する錘部１に、釣り針２を有する疑似餌本体部３を連結して成る疑似餌であって、前記錘部１を一側面１ａから他側面１ｂに貫通する貫通孔４を形成し、前記疑似餌本体部３の先端にはこの疑似餌本体部３と前記錘部１とを連結する紐や糸などの紐糸状連結体５の基端を連結し、この紐糸状連結体５の先端は、前記錘部１の一側面１ａから他側面１ｂに向けて前記貫通孔４に挿通させてその先端を前記錘部１に固定連結し、この紐糸状連結体５によって前記錘部１と前記疑似餌本体部３とを連結した構成とし、前記錘部１の一側面１ａにして前記貫通孔４の一方の孔縁部４ａから連設状態に、この錘部１の長さ方向基端に向けて延設される切り欠き凹溝部６を凹設し、前記錘部１の貫通孔４を境とする前記紐糸状連結体５の基端側にして前記疑似餌本体部３と連結する側が、前記錘部１の切り欠き凹溝部６内に入り込むことで、この錘部１に対する紐糸状連結体５の振れ動がこの切り欠き凹溝部６によって制止規制されるように構成したものである。
【００３９】
以下、本実施例の構成を具体的に説明する。
【００４０】
錘部１は、金属部材から成る成形品であり、イカの胴体を模した細長形状に形成すると共に、図１に図示したようにその長さ方向先端には環状の金具をインサート成形により埋設状態に設けることで、釣り糸を連結するための釣り糸連結部11を先端に設けた構成としている。
【００４１】
また、図１及び図２に図示したように、前記錘部１は、一側面１ａ（図２中，左側面）から他側面１ｂ（図２中，右側面）に向けて貫通孔４を形成しているが、この貫通孔４は、錘部１の長さ方向と直交する方向か、若しくはこの錘部１の前記一側面１ａから前記他側面１ｂに向けてこの錘部１の長さ方向先端（図２中，上方）に向かう斜め方向に前記貫通孔４を貫通形成した構成としている。
【００４２】
図示した本実施例においては、図２に図示したように、錘部１の一側面１ａ側に形成される貫通孔４の一方の孔縁部４ａの位置よりも、錘部１の他側面１ｂ側に形成される貫通孔４の他方の孔縁部４ｂの位置が錘部１の先端寄りに位置するように貫通孔４を貫通形成する。
【００４３】
尚、この貫通孔４は、後述する紐糸状連結体５の先端の環状金具８がこの貫通孔４内を挿通し得る孔径に設定している。
【００４４】
また、本実施例では、図１〜図３に図示したように、この錘部１の一側面１ａにして前記貫通孔４の前記一方の孔縁部４ａからこの錘部１の長さ方向基端まで至る直線状に延設状態に、断面Ｕ字状の前記切り欠き凹溝部６を凹設している。
【００４５】
またこの錘部１には、紐糸状連結体５の先端を固定連結するための固定部７を設けた構成としている。具体的には、図２に図示したように、固定部７を構成する環状の固定部形成部材７’をインサート成形によってこの錘部１に埋設し、これにより錘部１に前記固定部７を埋設固定状態に設けた構成としている。
【００４６】
従って、この固定部７は錘部１に埋設固定されている為に簡単に錘部１から取れ外れる心配はない。
【００４７】
また更に、この固定部７は図１〜図３に図示したように、錘部１に形成した貫通孔４の一方の孔縁部４ａ（切り欠き凹溝部６が連設されるほうの孔縁部４ａ）とは反対の他方の孔縁部４ｂの形成位置よりも、この錘部１の長さ方向先端寄りの位置に固定部７を設けることとする。図示した本実施例においては、この錘部１の前記他側面１ｂ側にして前記貫通孔４の前記他方の孔縁部４ｂの近傍位置にしてこの他方の孔縁部４ｂより錘部１の先端寄り位置に前記固定部７を設けている。
【００４８】
従って、この固定部７に先端を固定連結した紐糸状連結体５は、図２に図示したように、貫通孔４を通りつつこの貫通孔４の形成方向に沿ってこの貫通孔４の一方の孔縁部４ａから前記錘部１の基端側に向かう方向に突出した状態となり易い。ひいては、貫通孔４の前記一方の孔縁部４ａから連設状態にして錘部１の基端に向けて延設される前記切り欠き凹溝部６内に前記被も糸状連結体５が入り込み易い構成である。
【００４９】
疑似餌本体部３は、樹脂などの可撓性を有する部材でイカの頭部及び足部を模した形状に形成したものであり、その先端には前記紐糸状連結体５の基端を連結している。
【００５０】
また紐糸状連結体５は、紐，糸，細いチェーン状のものなど紐糸状のものであれば種々採用できる。図示した本実施例においては長尺な紐を採用しているが、単に紐の一端を錘部１側に，他端を疑似餌本体部３側に連結するのではなく、長尺な紐を二つ折りに折り返し、その折り返し縁部を先端、両紐端部を基端として設定する。この二つ折りにした紐の両紐端部を有する基端側を前記疑似餌本体部３の先端に固定連結すると共に、両紐端部には夫々釣り針２を取り付け、これにより疑似餌本体部３に紐糸状連結体５の基端を連結すると共に釣り針２を有する構成としたものである。
【００５１】
前記紐糸状連結体５の先端には、サルカンやリングなどの環状金具８を設けている。図示した本実施例においては、前記紐糸状連結体５の先端である紐の折り返し縁部を、サルカンに括りつけて（チチワ結び）、双方を連結している。尚、本実施例では上述の通り錘部１の貫通孔４を、前記環状金具８（サルカン）が挿通し得る孔径に設定している為、紐糸状連結体５の先端を貫通孔４に挿通する前，若しくは挿通した後のいずれに環状金具８と連結しても良い。
【００５２】
この紐糸状連結体５の先端の環状金具８を、図１〜図３に図示したように中間金具９を介して錘部１の固定部７に固定連結し、これによりこの紐糸状連結体５の先端を錘部１に固定連結した構成としている。
【００５３】
尚、中間金具９は、図示したように金属製の線材をリング状に巻き回して成る一般的なスプリットリングであって、前記巻き回された線材間に環状金具８や固定部７を通すことで、このスプットリングに環状金具８や固定部７を着脱自在にリング連結し得るものである。
【００５４】
従って、本実施例ではこの中間金具９（スプリットリング）を用いてこの環状金具８と固定部７とを着脱自在に固定連結し得るものである。
【００５５】
つまり、単にスプリットリングに環状金具８や固定部７をリング連結したり取り外したりする簡単な作業で環状金具８と固定部７とを付け外しでき、錘部１と疑似餌本体部３とを付け替えて組み合わせ調整変更する作業を簡単に行える。
【００５６】
更に、錘部１の貫通孔４を境とする前記紐糸状連結体５の基端側にして前記疑似餌本体部３が連結される側には、蓄光部10を設けている。図示した本実施例においては、筒状に形成した蓄光部10を紐糸状連結体５に対して被嵌状態に設けた構成としているが、この蓄光部10の形状はどのような形状でも良い。
【００５７】
具体的には、紐糸状連結体５の前記基端側に、可撓性を有する蓄光樹脂製の筒状部材を被嵌状態に設け、これを蓄光部10として構成している。尚、この蓄光部10は蓄光性を有する部材で構成しても良いし、蓄光性を有さない部材に蓄光塗料を塗布して成る構成としても良く、いずれにしても蓄光性を有する構成とすれば良い。
【００５８】
図２及び図３に図示したように、この紐糸状連結体５の基端側にして、錘部１の基端と疑似餌本体部３の先端との中間位置（即ち紐糸状連結体５の前記基端側にして、錘部１の切り欠き凹溝部６内に入り込まない位置）にこの蓄光部10を設け、錘部１に対して紐糸状連結体５，疑似餌本体部３と共にこの蓄光部10が光を放ちつつ錘部１に対して振れ動するように構成する。
【００５９】
従って、この蓄光部10が錘部１に対して振れ動しながら放つ光に魚が誘われ、特に夜間の釣り時などにおいてより高い集魚作用を期待できることとなる。
【００６０】
尚、本考案は、本実施例に限られるものではなく、各構成要件の具体的構成は適宜設計し得るものである。
【図面の簡単な説明】
【００６１】
【図１】本実施例に係る疑似餌の説明分解斜視図である。
【図２】本実施例に係る疑似餌の説明側断面図である。
【図３】本実施例に係る疑似餌の説明底面図である。
【図４】従来例を示す概略説明図である。
【符号の説明】
【００６２】
１  錘部
１ａ  一側面
１ｂ  他側面
２  釣り針
３  疑似餌本体部
４  貫通孔
４ａ  孔縁部
４ｂ  孔縁部
５  紐糸状連結体
６  切り欠き凹溝部
７  固定部
７’  固定部形成部材
８  環状金具
９  中間金具
【図１】
0003135965.tif 000003
【図２】
0003135965.tif 000004
【図３】
0003135965.tif 000005
【図４】
0003135965.tif 000006